(57)【要約】【課題】データ入力後のエラーチェックにおいて、エラー内容の表示を工夫し、全体として操作性および視認性を考慮したエラー表示方法を提供する。【解決手段】入力チェック手段１１は、操作者によって入力されたデータを所定のルールに基づいてチェックして入力エラーの検出を行う。エラーアイコン表示制御手段１３は、入力チェック手段１１が検出した入力エラーを受けて、これに基づくエラーアイコンを表示するとともにエラーアイコンの表示領域にマウスなどのポインティングデバイスの指示があるか否かを検出する。エラー内容表示手段１７は、エラーアイコン表示制御手１３が検出したポインティングデバイスの指示に基づいて、該当するエラー内容を表示する。訂正入力画面表示手段１５は、エラーアイコン表示制御手１３が検出したポインティングデバイスの指示に基づいて、該当するエラー内容の入力データを訂正するための入力画面を表示する。【選択図】　図１
2004094317.tif 000002
【特許請求の範囲】
【請求項１】
入力データを所定のルールに基づいてチェックする入力チェック手段と、
前記入力チェック手段によって検出された入力エラーを受けて、当該エラー内容と関連づけられたエラーアイコンを表示するエラーアイコン表示制御手段と、
ポインティングデバイスによる指示位置が、前記エラーアイコンの表示領域内に位置すると、前記エラーアイコン表示制御手段から受けた前記エラーアイコンに関連するエラー内容を表示するエラー内容表示手段と、
を備えたことを特徴とする入力エラー表示装置。
【請求項２】
入力データを所定のルールに基づいてチェックする入力チェック手段と、
前記入力チェック手段によって検出された入力エラーを受けて、当該エラー内容と関連づけられたエラーアイコンを表示するエラーアイコン表示制御手段と、
ポインティングデバイスによる指示位置が、前記エラーアイコンの表示領域内に位置すると、前記エラーアイコン表示制御手段から受けた前記エラーアイコンに関連するエラー内容を表示するエラー内容表示手段と、
を備えたことを特徴とする入力エラー表示装置をコンピュータを用いて実現するためのプログラム。
【請求項３】
請求項２のプログラムを記憶したプログラム記憶媒体。
【請求項４】
請求項１〜３のいずれかの入力エラー表示装置、入力エラー表示装置をコンピュータを用いて実現するためのプログラムまたは入力エラー表示装置をコンピュータを用いて実現するためのプログラムを記憶したプログラム記憶媒体において、
前記エラーアイコン表示制御手段は、前記入力エラーが複数発生している場合には、それぞれの入力エラーに対応するエラーアイコンを表示すること
を特徴とするもの。
【請求項５】
請求項１〜４のいずれかの入力エラー表示装置、入力エラー表示装置をコンピュータを用いて実現するためのプログラムまたは入力エラー表示装置をコンピュータを用いて実現するためのプログラムを記憶したプログラム記憶媒体において、
前記エラーアイコンの表示領域内で前記ポインティングデバイスへ決定指示が与えられると、前記入力エラーに関連する入力データを訂正するための入力画面を表示する訂正入力画面表示手段をさらに備えたこと
を特徴とするもの。
【請求項６】
請求項５の入力エラー表示装置、入力エラー表示装置をコンピュータを用いて実現するためのプログラムまたは入力エラー表示装置をコンピュータを用いて実現するためのプログラムを記憶したプログラム記憶媒体において、
前記訂正入力画面表示手段は、前記エラー内容に関する入力データを訂正するための入力画面における入力データの訂正が完了すると、他のエラー内容に関する入力データを訂正するための入力画面を表示すること
を特徴とするもの。
【請求項７】
請求項５の入力エラー表示装置、入力エラー表示装置をコンピュータを用いて実現するためのプログラムまたは入力エラー表示装置をコンピュータを用いて実現するためのプログラムを記憶したプログラム記憶媒体において、
前記エラーアイコン表示制御手段は、前記エラー内容に関する入力データを訂正するための入力画面における入力データの訂正が完了すると、当該エラー内容に関する入力エラーに基づくエラーアイコンの表示態様を変更すること
を特徴とするもの。
【請求項８】
入力データを所定のルールに基づいてチェックし、入力エラーが発生している場合にはその旨を表示する入力エラー表示方法において、
発生した入力エラーに基づいてエラーアイコンを表示しておき、
ポインティングデバイスによる指示位置が、前記エラーアイコンの表示領域内に位置すると、前記エラーアイコンに関連づけられた入力エラーの内容を表示すること、
を特徴とする入力エラー表示方法。
【発明の詳細な説明】
【０００１】
【発明の技術分野】
この発明は、入力データをチェックしたときに発生する入力エラーの内容を表示する入力エラー表示方法および入力エラー表示装置に関する。
【０００２】
【従来の技術および課題】
複数の入力項目を有するデータ入力装置等においては、入力完了時あるいは所定のタイミングで、それぞれの入力データが所定の入力ルールに従っているか否かのチェックを行うようにしている。このようなチェックにおいては、入力エラーが発生していると判断すると、該当する入力項目を点滅させたり色分け表示したりして、操作者に入力エラーの発生を通知してその訂正を促すようにしている。
【０００３】
また、図９に示すように、データ入力のチェックにおいて発生した入力エラーについて具体的な内容を画面上に提示して、操作性を高めているものもある。
【０００４】
例えば、図９の入力画面９０においては、操作者はデータ入力領域９０１内の入力項目（氏名、生年月日、性別・・・）にデータを入力し、すべての入力項目を入力し終えると、入力完了ボタン９０５を押下する。これを受けてデータ入力装置のＣＰＵは、所定の入力ルールに基づいて各項目の入力データをチェックする。このチェックにおいて入力エラーが発生していると、エラー表示領域９０３にそのエラー内容を表示し、操作者に入力データの修正を促すようにしている。
【０００５】
しかしながら、上記のようなデータ入力装置のエラー表示方法では、データ入力領域９０１とは別のエラー表示領域９０３を表示する必要があり、入力画面の制約からデータ入力領域９０１や他の領域を広くとることができない。また、入力エラーが発生していない場合には、エラー表示領域９０３に使用する領域が無駄である。
【０００６】
表示領域を広くとるためにデータ入力領域９０１やエラー表示領域９０３にスクロールバー９０７、９０９を表示して、画面スクロールにより多くのデータ行を表示させることも考えられるが、表示するデータ行が多くなるとスクロール操作が煩雑になり、操作性および視認性が低下するという問題もある。
【０００７】
また、画面設計上の都合によりデータ入力領域９０１が、タブの切り替え等によって制御される複数の画面領域を有している場合には、入力エラーが発生した入力項目の属する画面領域を前記タブによって選択して表示させなければならず、この場合においても、上記と同様に操作が煩雑となり操作性が低下する。
【０００８】
この発明は、上記のような問題を解決するためになされたものであって、データ入力後のエラーチェックにおいてエラー内容の表示を工夫し、全体として操作性および視認性を考慮したエラー表示方法を提供することを目的とする。
【０００９】
なお、この発明にかかる先行技術では、エラーが発生するとクライアント端末のエラー発生アイコンを点滅して表示させ、操作者が、このアイコンをクリックすることによって、エラー内容の一覧を確認できるようにしている。（例えば、特許文献１参照。）。
【００１０】
この先行技術では、操作者は、エラー発生アイコンをクリックして一覧が表示されるまで、各エラー内容を確認することができず、エラーに対して迅速な対応を行うことができない。
【００１１】
【特許文献１】
【００１２】
特開２００２−０１４８８０号公報　（第９頁、第６図）
【課題を解決するための手段および発明の効果】
（１）（２）（３）この発明にかかる入力エラー表示装置、入力エラー表示装置をコンピュータを用いて実現するためのプログラムまたは入力エラー表示装置をコンピュータを用いて実現するためのプログラムを記憶したプログラム記憶媒体は、入力データを所定のルールに基づいてチェックする入力チェック手段と、前記入力チェック手段によって検出された入力エラーを受けて、当該エラー内容と関連づけられたエラーアイコンを表示するエラーアイコン表示制御手段と、ポインティングデバイスによる指示位置が、前記エラーアイコンの表示領域内に位置すると、前記エラーアイコン表示制御手段から受けた前記エラーアイコンに関連するエラー内容を表示するエラー内容表示手段と、を備えたことを特徴としている。
【００１３】
したがって、入力エラーの内容を提示するための表示領域を予め用意しておく必要はなく、他の表示内容のための表示領域を大きくとることができる。また、マウスなどのポインティングデバイスの移動によって、エラー内容を表示するか否かを決定することができるので、操作者の意志に基づく簡単な操作でエラー内容を提示させることができる。
【００１４】
（４）この発明にかかる入力エラー表示方法、入力エラー表示装置をコンピュータを用いて実現するためのプログラムまたは入力エラー表示装置をコンピュータを用いて実現するためのプログラムを記憶したプログラム記憶媒体においては、エラーアイコン表示制御手段は、前記入力エラーが複数発生している場合には、それぞれの入力エラーに対応するエラーアイコンを表示することを特徴としている。
【００１５】
したがって、入力エラーの個数に応じてエラーアイコンの個数が決まるので、操作者は、一目で入力エラーの発生状況を確認することができる。
【００１６】
（５）この発明にかかる入力エラー表示装置、入力エラー表示装置をコンピュータを用いて実現するためのプログラムまたは入力エラー表示装置をコンピュータを用いて実現するためのプログラムを記憶したプログラム記憶媒体においては、エラーアイコンの表示領域内で前記ポインティングデバイスへ決定指示が与えられると、前記入力エラーに関連する入力データを訂正するための入力画面を表示する訂正入力画面表示手段をさらに備えたことを特徴としている。
【００１７】
したがって、操作者は、入力エラーが発生している入力項目の属する入力画面を探さなくても、自動的に訂正が必要な入力項目の属する入力画面を表示させることができる。これにより操作性が向上する。
【００１８】
（６）この発明にかかる入力エラー表示装置、入力エラー表示装置をコンピュータを用いて実現するためのプログラムまたは入力エラー表示装置をコンピュータを用いて実現するためのプログラムを記憶したプログラム記憶媒体においては、訂正入力画面表示手段は、エラー内容に関する入力データを訂正するための入力画面における入力データの訂正が完了すると、他のエラー内容に関する入力データを訂正するための入力画面を表示することを特徴としている。
【００１９】
したがって、操作者は、入力エラーを訂正した後において、再び別のエラーアイコンをクリックして次の入力エラーを訂正するための入力画面を表示させる必要がない。これにより操作性が向上する。
【００２０】
（７）この発明にかかる入力エラー表示装置、入力エラー表示装置をコンピュータを用いて実現するためのプログラムまたは入力エラー表示装置をコンピュータを用いて実現するためのプログラムを記憶したプログラム記憶媒体においては、エラーアイコン表示制御手段は、エラー内容に関する入力データを訂正するための入力画面における入力データの訂正が完了すると、当該エラー内容に関する入力エラーに基づくエラーアイコンの表示態様を変更することを特徴としている。
【００２１】
したがって、操作者は、訂正が完了している入力エラーに関するエラーアイコンを容易に識別することができる。これにより、エラー発生状況における視認性が向上する。
【００２２】
（８）この発明にかかる入力エラー表示方法は、発生した入力エラーに基づいてエラーアイコンを表示しておき、ポインティングデバイスによる指示位置が、前記エラーアイコンの表示領域内に位置すると、前記エラーアイコンに関連づけられた入力エラーの内容を表示すること、を特徴としている。
【００２３】
したがって、入力エラーの内容を提示するための表示領域を予め用意しておく必要はなく、他の表示内容のための表示領域を大きくとることができる。また、マウスなどのポインティングデバイスの移動によって、エラー内容を表示するか否かを決定することができるので、操作者の意志に基づく簡単な操作でエラー内容を提示させることができる。
【００２４】
この発明において、「入力データ」とは、操作者からの入力によって発生するデータだけでなく、例えばフレキシブルディスク（ＦＤ）等によって、装置に読み込んだデータ、および通信回線等を介して他の装置から受信したデータを含む概念である。
【００２５】
「決定指示」とは、例えばマウスのダブルクリックやワンクリック操作によって、アイコンに関連づけられた処理を実行させるための指示である。
【００２６】
【発明の実施の形態】
以下、本発明における一実施形態について、図面を参照して説明する。
【００２７】
（１）機能ブロック図
図１は、本実施形態において、入力エラー表示装置１としてのコンピュータ装置の構成を示す機能ブロック図である。この図において、入力エラー表示装置１は、入力チェック手段１１、エラーアイコン表示制御手段１３、エラー内容表示手段１７、および訂正入力画面表示手段１５を備えている。
【００２８】
入力チェック手段１１は、操作者によって入力されたデータを所定のルールに基づいてチェックして入力エラーの検出を行う。エラーアイコン表示制御手段１３は、入力チェック手段１１が検出した入力エラーを受けて、これに基づくエラーアイコンを表示するとともにエラーアイコンの表示領域にマウスなどのポインティングデバイスの指示があるか否かを検出する。
【００２９】
エラー内容表示手段１７は、エラーアイコン表示制御手１３が検出したポインティングデバイスの指示に基づいて、該当するエラー内容を表示する。訂正入力画面表示手段１５は、エラーアイコン表示制御手１３が検出したポインティングデバイスの指示に基づいて、該当するエラー内容の入力データを訂正するための入力画面を表示する。
【００３０】
（２）ハードウェア構成
図２に、前記入力エラー表示装置１を実現するハードウェア構成図を示す。この装置は、ディスプレイ２０１、ＣＰＵ２０３、メモリ２０５、ハードディスク２０７（記憶装置）、マウス２０９、およびキーボード２１１等を備えている。
【００３１】
ディスプレイ２０１は、入力項目や入力データ等を表示して操作者に視認させるための装置である。ＣＰＵ２０３は、ハードディスク２０７またはメモリ２０５に記憶されたプログラムを読み込んで実行し各装置を制御するものである。キーボード２１１は、操作者がデータ入力を行うための装置であり、マウス２０９は、操作者がディスプレイ２０１上において操作位置を指示するための装置である。
【００３２】
ハードディスク２０７は、入力チェック手段１１、エラーアイコン表示制御手段１３、エラー内容表示手段１７および訂正入力画面表示手段１５を実現するための各プログラムを記憶する。なお、前記各プログラムには、入力チェックプログラム、エラーアイコン表示制御プログラム、エラー内容表示プログラムおよび訂正入力画面表示プログラムが含まれる。
【００３３】
これらのプログラムは、メモリカードやＣＤ−ＲＯＭ等の記録媒体に記録されており、それぞれの記録媒体に対応するドライブ装置を用いて読み取られ、ハードディスク２０７にインストールされたものである。また、通信回線等を利用してこれらのプログラムをダウンロードするようにしてもよい。
【００３４】
本実施形態においては、前記プログラムを記録媒体等からハードディスク２０７にインストールすることにより、前記記録媒体等に記録されたプログラムを間接的にコンピュータ装置に実行させるようにしている。しかしながら、この方法に限定されることなく、メモリカードやＣＤ−ＲＯＭ等の記録媒体に記録されたプログラムを直接的に実行させるようにしてもよい。なお、コンピュータの実行可能なプログラムとしては、データ圧縮されているものや暗号化されているため、一旦他の形態に変換が必要なものや、他のモジュールと組み合わせて実行可能となるようなものも含むものとする。
【００３５】
また、前記プログラムには、プログラム単独で実行可能なものだけでなく、オペレーティングシステムと共に機能するものも含むものとする。
【００３６】
（３）フローチャート
図３および図３ａは、前記入力エラー表示装置１を実現するプログラムを実行する場合のフローチャートである。また、図４〜６は、本実施形態で説明する医療業務システムの入力画面の例を示す図である。
【００３７】
図４Ａは、患者情報を入力する領域４０２を有する入力画面であり、図４Ｂは、当該患者の保険証情報を入力する領域４０４を有する入力画面である。操作者は、これらの入力画面における入力領域を、図４Ａの切り替えタブ４５、４６または図４Ｂの切り替えタブ４７、４８を選択することによって切り替えることができる。すなわち、図４Ａにおいて患者情報を入力する領域４０２が表示されている場合に保険証タブ４６を選択すると、図４Ｂの保険証情報を入力する領域４０４が表示される。
【００３８】
操作者が、前記患者情報および前記保険証情報を入力して入力完了ボタン４０１または４０３を押下すると、本実施形態の医療業務システムにおける入力エラー表示装置１のＣＰＵ２０３は、データ入力の完了情報を取得し（ステップＳ３０１、図３）、入力チェック処理を開始する（ステップＳ３０３）。
【００３９】
前記入力チェック処理は、入力項目毎に所定の入力ルールが記録された入力ルールデータベース３０を参照して行われる。なお、図７に、入力ルールデータベース３０の一例を示す。このデータベースには、入力画面４１等における入力項目に対応する入力項目名称７１、前記入力項目に対する入力ルールである入力ルール１（７２）、入力ルール２（７４）、および前記入力ルールでエラーが発生したときに操作者に通知するためのエラー内容１（７３）、エラー内容２（７５）等が設定されている。
【００４０】
例えば、生年月日のチェックでは、「入力された年（西暦）が未来でないこと」および「入力された生年月日から算出した年齢が１５０歳以下であること」が入力ルールとして設定されている。また、郵便番号は、「現実に存在する郵便番号であること」、保険証の有効期限日は、「現在よりも過去でないこと」が入力ルールとしてそれぞれ設定されている。このような入力ルールが、入力画面の各項目毎に必要に応じて設定されており、ＣＰＵ２０３は、設定されたすべての入力ルールに基づいて入力チェック処理を行う。
【００４１】
ＣＰＵ２０３は、前記入力チェック処理において入力エラーを検出すると（ステップＳ３０５、Ｙｅｓ）、入力項目とエラー内容をエラーアイコン番号に関連づけて、入力エラー情報としてメモリ２０５に記録する。
【００４２】
図８に、このときメモリ２０５に記録される入力エラー情報の例を示す。エラーアイコン番号８１は、エラーアイコンを表示したときに入力エラー情報を識別するためのＩＤ番号であり、入力エラーの発生の都度順次付与される。入力項目８３は、入力画面４１の入力領域４０２等において入力エラーが発生している入力項目である。エラー内容８５は、入力項目の入力ルールに基づいて操作者に通知される入力エラーについての具体的な内容である。なお、前記エラー内容８５は、図７に示した入力ルールデータベース３０のエラー内容１（７３）またはエラー内容２（７５）を参照して記録するようにしている。
【００４３】
ＣＰＵ４０は、検出したエラー内容に応じたエラーアイコンをディスプレイ２０１に表示する（ステップＳ３０７）。なお、入力エラーを検出しない場合（ステップＳ３０５、Ｎｏ）は、処理を終了する。
【００４４】
図５Ａに、このときにディスプレイ２０１に表示される入力画面の例を示す。図５Ａの画面下方には、図８の入力エラー情報に示したエラーアイコン番号０１〜０３に関連づけられた３つのエラーアイコン５１〜５３が表示されている。これは、入力チェック処理において、３つの入力データに入力エラーが発生したことを示している。
【００４５】
入力エラーが発生したことを認識した操作者が、マウス２０９を操作してマウスカーソルを前記エラーアイコンのいずれかの表示領域に移動させると、ＣＰＵ２０３はこれを検知し（ステップＳ３１１）、該当するエラーアイコンに関連付けられたエラー内容をディスプレイ２０１上に表示する（ステップＳ３０９）。
【００４６】
例えば、図５Ｂに示すように、エラーアイコン５２の表示領域にマウスカーソル５５が位置すると、エラーアイコン５２に関連づけられたエラーアイコン番号（「０２」）に基づいて、図８の入力エラー情報を参照してエラー内容を取得し、当該エラー内容を吹き出し５７（「郵便番号でエラーが発生しました。その番号は存在しません。」）として表示する。
【００４７】
また、同時に、入力エラーと判断された入力項目（郵便番号）の入力データ５４（「９９９９」）も反転して表示されている。なお、マウスカーソル５５がエラーアイコン５２の表示領域を外れると、エラー内容の吹き出し５７は、表示されないようになる。
【００４８】
このように、入力エラーの発生をエラーアイコンによって表示し、このエラーアイコンをマウス２０９で指示することによって、これに該当するエラー内容を吹き出し等で表示させることにより、画面の表示領域を予め用意する必要はなく、入力画面を有効に設計することができる。また、操作者の意志に基づいて、エラー内容を簡単に表示させたり非表示にしたりすることができるので、操作性および視認性が向上する。
【００４９】
なお、上記ではエラー内容をエラーアイコンの吹き出しとして表示しているが、エラーアイコン上にマウスカーソルが移動するとエラー内容を表示することができれば、他の形態で表示させてもよい。例えば、入力画面における所定の位置や、画面全体にエラー内容を表示させてもよい。
【００５０】
次に、操作者が、エラーアイコン５１〜５３のいずれかをクリックすると、クリックされたエラーアイコンに基づいて、エラー訂正を行うための処理が開始される（ステップＳ３１３、Ｙｅｓ）。なお、エラーアイコンがクリックされなければ、エラーアイコンを表示した状態のままの画面が保持される（ステップＳ３１３、Ｎｏ）。
【００５１】
図３ａに、前記エラー訂正処理のフローチャートを示す。また、図６に、ディスプレイ２０１に表示される訂正入力画面の一例を示す。
【００５２】
ＣＰＵ２０３は、操作者からのマウスクリックによって特定されたエラーアイコンから、これに関連づけられた入力項目の情報を取得する（ステップＳ３２１、図３ａ）。そして、当該入力項目について入力された入力データを取得し（ステップＳ３２３）、これらの情報に基づいて訂正入力画面を生成して、ディスプレイ２０１に表示する（ステップＳ３２５）。
【００５３】
例えば、図５Ｂに示すエラーアイコン５２をマウス２０９でクリックすると、図６Ａに示すような訂正入力画面６１が、入力画面上に表示される。すなわち、エラーアイコンは「郵便番号」にかかる入力エラーを示しており、このアイコンをクリックして表示される訂正入力画面６１においては、郵便番号の入力データのみを訂正できるようになっている。これにより、操作者は、元の入力画面において入力エラーの発生している入力項目を探さなくとも、即時に訂正入力を行うことができ、操作性が向上する。
【００５４】
訂正入力画面６１において、「郵便番号」の入力データを訂正入力した操作者が、訂正入力の完了を示す訂正完了ボタン６２を押下すると（ステップＳ３２７）、ＣＰＵ２０３は、個別の入力チェック処理を行う（ステップＳ３２９）。
【００５５】
前記個別の入力チェック処理は、入力エラーが発生した入力項目のみについてのチェック処理であり、すべての入力項目についてチェックを行う前記入力チェック処理（図３、ステップＳ３０３）とは異なる。すなわち、個別の入力チェック処理は、入力ルールデータベース３０の当該訂正にかかる入力項目の入力ルールを参照し、当該訂正にかかる入力項目のチェックのみを行う。
【００５６】
ＣＰＵ２０３は、前記個別の入力チェック処理において、新たな入力エラーを検出すると（ステップＳ３３１、Ｙｅｓ）、ステップＳ３２５に戻り再び訂正入力画面を表示する。なお、このとき、当該訂正された入力項目にかかるエラー内容が変更されていれば、ＣＰＵ２０３は、前記メモリ２０５においてエラーアイコン番号に関連づけて記録している入力エラー情報のエラー内容を更新する。
【００５７】
これにより、操作者がエラーアイコンにマウスカーソルを移動させた場合に、新たな入力エラーについてのエラー内容を表示させることができる。なお、訂正入力画面内にエラー内容を表示するようにしてもよい。
【００５８】
一方、ＣＰＵ２０３が、前記個別の入力チェック処理において、新たな入力エラーを検出しなければ（ステップＳ３３１、Ｎｏ）、前記エラーアイコンの表示態様を変更する（ステップＳ３３３）。例えば、ＣＰＵ２０３は、図６Ａに示すエラーアイコン５２を、図５Ｂに示すエラーアイコン５２１に変更して表示する。例えば、エラーアイコン５２１は、エラーアイコン５２の色を変更したものである。このように、訂正が完了したエラーアイコンの表示態様を変更することにより、操作者は、訂正の完了状況を容易に確認することができるので視認性が向上する。
【００５９】
１つめの訂正入力が完了すると、ＣＰＵ２０３は、表示態様の変更されていないエラーアイコンがあるか否かを判断する。エラーアイコンに未訂正のものがなければ、エラー訂正処理を終了する（ステップＳ３３５、Ｎｏ）。
【００６０】
また、エラーアイコンに未訂正のものがあれば、当該エラーアイコンに関連づけられている入力項目を取得して上記と同様の処理（ステップＳ３２１〜３３３）を行う（ステップＳ３３５、Ｙｅｓ）。例えば、図６Ａの訂正入力画面６１において、「郵便番号」の入力データを訂正入力した操作者が、訂正入力の完了を示す訂正完了ボタン６２を押下すると、ＣＰＵ２０３は、図６Ｂに示す訂正入力画面６３を表示して、「保険者番号」の訂正を促す。
【００６１】
このように、１つの入力データを訂正する処理の完了に続けて、他の入力データを訂正する処理を行うことにより、エラーアイコンをクリックすることなく、次のエラー訂正処理を行わせることができ操作性が向上する。
【００６２】
エラー訂正処理において、すべてのエラーアイコンが訂正済みに変更されると、ＣＰＵ２０３は、ステップ３０３（図３）に戻って、再び入力チェック処理を行う。なお、入力チェック処理の前においては、すべてのエラーアイコンは消去される。このように、個別のエラー訂正処理の後に再び全体的な入力チェック処理を行うのは、ある入力項目の訂正に基づいて、新たに入力エラーとなる入力項目が存在するようになる場合もあるからである。
【００６３】
なお、入力エラーが検出されなければ（ステップＳ３０５、図３）、処理を終了して、医療業務システムにおける次の処理工程に進むため、入力エラー表示処理はここで終了する。
【００６４】
（４）まとめ
以上に示したように、本発明にかかる入力エラー表示手段または入力エラー表示方法を用いれば、入力エラーの発生をエラーアイコンによって表示し、これを操作することによって、エラー内容を表示したり、入力データの訂正を行うことができるので、必要最小限の表示領域でエラー内容を表示させて操作者に提示するとともに、全体として操作性および視認性を向上させてエラー訂正処理を行うことができる。
【００６５】
上記実施形態においては、訂正入力が完了するとエラーアイコンの表示態様を変更して、訂正済みであることを操作者が視認できるようにしているが、エラーアイコンを消滅させることによって、これを表現するようにしてもよい。例えば、入力項目が多数の場合において、入力エラーの発生確率が高い場合などに有効である。
【００６６】
上記実施形態においては、１種類のエラーアイコンを用いて説明したが、エラー内容や入力項目に応じて、エラーアイコンを選択するようにしてもよい。例えば、エラーの重要度に応じて種類の異なるエラーアイコンを表示してもよい。また、入力項目の内容に関連した種類のエラーアイコンを表示してもよい。
【００６７】
上記実施形態においては、１つのエラーアイコンをクリックすることによって、これに対応する訂正入力画面を表示するようにしているが、マウスドラッグ等によって複数のエラーアイコンが選択されている場合には、複数の入力項目を１つの訂正入力画面に表示するようにしてもよい。これにより、訂正入力における操作性が向上する。
【００６８】
上記実施形態においては、訂正入力画面において訂正が行われた場合において、入力項目に対する個別の入力チェック処理を行うようにしているが、この処理をスキップして、全体としての入力チェックのみを行うようにしてもよい。また、入力エラーの重要度や操作者の意志に基づいて個別の入力チェックを行うか否かを決定するようにしてもよい。これにより、入力チェック処理にかかる処理負荷を削減することができる。
【００６９】
上記実施形態においては、訂正入力画面の訂正完了ボタンが押下されるまで、訂正入力画面を終了しないようにしているが、訂正入力画面内に「チェック無視ボタン」を設けておき、エラー訂正を意図的に行わないようにしてもよい。
【００７０】
例えば、該当する入力項目のエラー訂正が不可能な場合であって、次の処理に進める必要のある場合に有効である。また、入力ルールデータベース等にチェックの無視が可能か否かを設定しておく、これを参照して「チェック無視ボタン」の表示・非表示を判断するようにしてもよい。
【図面の簡単な説明】
【図１】この発明の一実施形態における機能ブロック図を示す例である。
【図２】この発明の一実施形態における入力エラー表示装置のハードウェア構成図を示す例である。
【図３】この発明の一実施形態における入力エラー表示装置において処理されるプログラムのフローチャートを示す例である。
【図３ａ】この発明の一実施形態における入力エラー表示装置において処理されるプログラムのフローチャートを示す例である。
【図４】この発明の一実施形態における入力エラー表示装置のディスプレイに表示される入力画面を示す例である。
【図５】この発明の一実施形態における入力エラー表示装置のディスプレイに表示される入力画面を示す例である。
【図６】この発明の一実施形態における入力エラー表示装置のディスプレイに表示される入力画面および訂正入力画面を示す例である。
【図７】この発明の一実施形態における入力エラー表示装置のハードディスクに記憶される入力ルールデータベースを示す例である。
【図８】入力チェックにおける入力エラー情報を示す例である。
【図９】従来技術における入力画面を示す例である。
【符号の説明】
１・・・入力エラー表示装置
１１・・・入力チェック手段
１３・・・エラーアイコン表示制御手段
１５・・・訂正入力画面表示手段
１７・・・エラー内容表示手段
【図１】
2004094317.tif 000003
【図２】
2004094317.tif 000004
【図３】
2004094317.tif 000005
【図３ａ】
2004094317.tif 000006
【図４】
2004094317.tif 000007
【図５】
2004094317.tif 000008
【図６】
2004094317.tif 000009
【図７】
2004094317.tif 000010
【図８】
2004094317.tif 000011
【図９】
2004094317.tif 000012